(57)【要約】【課題】マッサージ手段やマッサージ出力を変更せずとも、簡単にマッサージ力の強弱を変更できる手持ち型マッサージ機を提供する。【解決手段】手持ち型マッサージ機１の本体部２は、第一枠体３と、第二枠体４と、第三枠体５によって形成されており、内部にマッサージ手段７を有している。第一枠体３は、第一施療部３１と第一保持部３２を有しており、第二枠体４は、第二施療部４１と第二保持部４２を有している。第一施療部３１は、第一当接面３３を有しており、第二施療部４１は、第二当接面４３を有しており、前記マッサージ手段７は、第一当接面３３と第二当接面４３の間に設けられており、前記第一当接面３３を介して前記マッサージ手段７により付与されるマッサージ力と、前記第二当接面４３を介して前記マッサージ手段７により付与されるマッサージ力が異なる。【選択図】      図５
2014061190.tif 000002
【特許請求の範囲】
【請求項１】
マッサージ手段と、
前記マッサージ手段を保持する本体部と、を有し、
前記本体部は、第一当接面と第二当接面を有しており、
前記マッサージ手段は、前記第一当接面と前記第二当接面の間に設けられ、
前記第一当接面を介して前記マッサージ手段により付与されるマッサージ力と、前記第二当接面を介して前記マッサージ手段により付与されるマッサージ力が異なることを特徴とする手持ち型マッサージ機。
【請求項２】
前記第一当接面には、第一可撓性部材が設けられており、
前記第二当接面には、第二可撓性部材が設けられており、
前記マッサージ手段は、前記第一可撓性部材と前記二可撓性部材を介してマッサージを行う
ことを特徴とする請求項１に記載の手持ち型マッサージ機。
【請求項３】
前記第一可撓性部材は、第二可撓性部材に比べて厚くなっている
ことを特徴とする請求項２に記載の手持ち型マッサージ機。
【請求項４】
前記第一可撓性部材の張力は、第二可撓性部材に比べて強くなっている
ことを特徴とする請求項２又は３に記載の手持ち型マッサージ機。
【請求項５】
前記マッサージ手段は、回動軸と、前記回転軸に複数の施療子を有しており、
前記第一当接面と前記第二当接面は、前記回転軸を挟んで対向しており、
前記第一当接面は、前記第二当接面と比べて回転軸から遠い位置に設けられている
ことを特徴とする請求項１〜４のいずれかに記載の手持ち型マッサージ機。
【請求項６】
前記本体部は、前記可撓性部材の張力を変更する張力変更手段を有している
ことを特徴とする請求項２〜４のいずれかに記載の手持ち型マッサージ機。       
【請求項７】
前記張力変更手段は、
軸部と、
可撓性部材を軸部に固定する固定部と、
前記軸部を回動させる回動部と、を有している
ことを特徴とする請求項６に記載の手持ち型マッサージ機。
【請求項８】
前記張力変更手段は、
軸部と、
可撓性部材を軸部に固定する固定部と、
前記軸部の位置を変更させるスライド部と、を有している
ことを特徴とする請求項６に記載の手持ち型マッサージ機。
【発明の詳細な説明】
【技術分野】
【０００１】
本発明は手持ち型マッサージ機の強弱変更手段に関する。
【背景技術】
【０００２】
従来の特許文献１に記載のようなハンドマッサージャーは、遠心力応用回転体を保持する枠体と、遠心力応用回転体の回転軸に結合された減速ユニットと、枠体及び遠心力応用回転体を覆うカバーと、枠体から延在する握りと、上記減速ユニットを介して遠心力応用回転体を駆動するモータと、モータに給電する電源コードと、マッサージ力調整のためのモータコントローラと、モータへの給電を制御する電源スイッチで構成されている。
【０００３】
また、遠心力応用回転体は、回転軸から径方向に延びる繊維状弾性体または板状弾性体あるいは可撓性部材からなる複数の作用体及び各作用体の多端に設けられた重りを備え、重りの形状、材質、質量、回転数、回転半径、作用体の剛性、及び回転軸と衝突面との距離を変えたり、モータをコントロールすることで、マッサージ力を調整していた。
【先行技術文献】
【特許文献】
【０００４】
【特許文献１】特開２０００−２１０３６０号公報
【発明の概要】
【発明が解決しようとする課題】
【０００５】
しかし、上記特許文献１のハンドマッサージャーのような、重りの形状、材質、質量、回転半径、作用体の剛性、及び回転軸と衝突面との距離を変えるようなマッサージ力の調整方法は、一度設定するとマッサージ力の変更はできず、使用者が好むマッサージ力でマッサージできない。
また、マッサージ力の変更等に分解などの作業が伴い、一般使用者には向かない。
さらに、上記特許文献１のハンドマッサージャーで示す、回転数を変更して、マッサージ力を調整するものは、制御面が複雑となっており、簡単な構成のハンドマッサージャーを得ることができない。
【０００６】
そこで本発明は、上述した問題を解消するためになされたものであり、マッサージ手段やマッサージ出力を変更せずとも、簡単にマッサージ力の強弱を変更できる手持ち型マッサージ機を得られるものである。
【課題を解決するための手段】
【０００７】
本発明の手持ち型マッサージ機は、マッサージ手段と、前記マッサージ手段を保持する本体部と、を有し、前記本体部は、第一当接面と第二当接面を有しており、前記マッサージ手段は、前記第一当接面と前記第二当接面の間に設けられ、前記第一当接面を介して前記マッサージ手段により付与されるマッサージ力と、前記第二当接面を介して前記マッサージ手段により付与されるマッサージ力が異なることを特徴とする。
このような構成とすることで、当接面ごとにマッサージの強弱を設定しており、当接面を変えることで簡単に強弱を変更することが可能であり、簡単にマッサージ力の強弱を変更することが可能である。
【０００８】
また、本発明の手持ち型マッサージ機は、前記第一当接面には、第一可撓性部材が設けられており、前記第二当接面には、第二可撓性部材が設けられており、前記マッサージ手段は、前記第一可撓性部材と前記二可撓性部材を介してマッサージを行うことを特徴とする。
このような構成とすることで、第一当接面と第二当接面のどちらでもマッサージが可能となっており、好みのマッサージ強さに合わせて、第一当接面と第二当接面を選ぶことが可能である。
【０００９】
また、本発明の手持ち型マッサージ機は、前記第一可撓性部材は、第二可撓性部材に比べて厚くなっていることを特徴とする。
このような構成とすることで、第一可撓性部材は第二可撓性部材に比べて厚くなっているので、第一当接面では、弱い体感のマッサージを行うことが可能であり、第二当接面では、強い体感のマッサージを行うことが可能である。
【００１０】
また、本発明の手持ち型マッサージ機は、前記第一可撓性部材の張力は、第二可撓性部材に比べて強くなっていることを特徴とする。
このような構成とすることで、前記第一可撓性部材の張力は、第二可撓性部材に比べて強くなっているので、第一当接面では、弱い体感のマッサージを行うことが可能であり、第二当接面では、強い体感のマッサージを行うことが可能である。
【００１１】
また、本発明の手持ち型マッサージ機は、前記マッサージ手段は、回動軸と、前記回転軸に複数の施療子を有しており、前記第一当接面と前記第二当接面は、前記回転軸を挟んで対向しており、前記第一当接面は、前記第二当接面と比べて回転軸から遠い位置に設けられていることを特徴とする。
このような構成とすることで、前記第一当接面は、前記第二当接面と比べて回転軸から遠い位置に設けられているので、第一当接面では、弱い体感のマッサージを行うことが可能であり、第二当接面では、強い体感のマッサージを行うことが可能である。
【００１２】
また、本発明の手持ち型マッサージ機は、前記本体部は、前記可撓性部材の張力を変更する張力変更手段を有していることを特徴とする。
このような構成とすることで、張力変更手段により、可撓性部材の張力を変更できるので、マッサージの強弱を変更することが可能であり、上記の当接面による強弱変更に加えて、細かな強弱調整を行うことが可能である。
【００１３】
また、本発明の手持ち型マッサージ機は、前記張力変更手段は、軸部と、可撓性部材を軸部に固定する固定部と、前記軸部を回動させる回動部と、を有している
ことを特徴とする。
このような構成とすることで、張力変更手段により、可撓性部材の張力を変更できるので、マッサージの強弱を変更することが可能であり、上記の当接面による強弱変更に加えて、細かな強弱調整を行うことが可能である。
【００１４】
また、本発明の手持ち型マッサージ機は、前記張力変更手段は、軸部と、可撓性部材を軸部に固定する固定部と、前記軸部の位置を変更させるスライド部と、を有していることを特徴とする。
このような構成とすることで、張力変更手段により、可撓性部材の張力を変更できるので、マッサージの強弱を変更することが可能であり、上記の当接面による強弱変更に加えて、細かな強弱調整を行うことが可能である。
【発明の効果】
【００１５】
上記のように、当接面によって、異なるマッサージ力でマッサージを行うことができるため、簡単にマッサージの強弱を調整でき、マッサージ出力等によるマッサージ力の変更に頼らずマッサージ力を変更できるので、簡単な構成でマッサージの強弱調整を行うことが可能である。
【図面の簡単な説明】
【００１６】
【図１】本発明の一実施形態に係る手持ち型マッサージ機を示す図である。
【図２】本発明の手持ち型マッサージ機の第一枠体を示す図である。
【図３】本発明の手持ち型マッサージ機の第二枠体を示す図である。
【図４】本発明の手持ち型マッサージ機の第三枠体を示す図である。
【図５】本発明の手持ち型マッサージ機のマッサージ手段を示す図である。
【図６】本発明の手持ち型マッサージ機のマッサージ手段を示す図である。
【図７】本発明の手持ち型マッサージ機の押さえ部材を示す図である。
【図８】本発明の手持ち型マッサージ機の実施形態を示す図である。
【図９】本発明の手持ち型マッサージ機の別実施形態を示す図である。
【図１０】本発明の手持ち型マッサージ機の別実施形態を示す図である。
【図１１】本発明の手持ち型マッサージ機の別実施形態を示す図である。
【図１２】本発明の手持ち型マッサージ機の別実施形態を示す図である。
【図１３】本発明の手持ち型マッサージ機の別実施形態を示す図である。
【発明を実施するための形態】
【００１７】
図１は、本発明の手持ち型マッサージ機を１示す図である。図１には、本発明の手持ち型マッサージ機１が図示されており、本体部２には、施療部２２と手持ち部２１が設けられており、手持ち部２１には、スイッチ３０２と、電源ジャック８が設けられている。
図２は、本発明の手持ち型マッサージ機１の第一枠体３を示す図である。図２に示す第一枠体３は、前記手持ち型マッサージ機１の本体部２を形成する一部である。図２ａは、第一枠体３の外側を示すものであり、図２ｂは、第一枠体３の内側を示すものである。
図３は、本発明の手持ち型マッサージ機１の第二枠体４を示す図である。図３に示す第二枠体４は、前記手持ち型マッサージ機１の本体部２を形成する一部である。図３ａは、第二枠体４の外側を示すものであり、図３ｂは、第二枠体４の内側を示すものである。
図４は、本発明の手持ち型マッサージ機１の第三枠体５を示す図である。図４に示す第三枠体５は、前記手持ち型マッサージ機１の本体部２を形成する一部である。
【００１８】
図１〜４に示す様に、手持ち型マッサージ機１の本体部２は、第一枠体３と、第二枠体４と、第三枠体５によって形成されており、第一枠体３は、第一施療部３１と第一保持部３２を有しており、第二枠体４は、第二施療部４１と第二保持部４２を有しており、第三枠体５は、第一枠体固定部５１と第二枠体固定部５２を有している。
前記第一枠体３と第二枠体４は、第三枠体５の第一枠体固定部５１と第二枠体固定部５２に固定されることにより、手持ち型マッサージ機１の本体部２となる。
また、前記第三枠体５に前記第一枠体３と第二枠体４が固定されることで、前記第一枠体３の第一保持部３２と前記第二枠体４の第二保持部４２は組合された状態で固定され、持ち手部２１となり、第一施療部３１と第二施療部４１が組み合わされた状態で固定され、施療部２２となるよう、構成されている。
また、本体部２は、第一当接面３３と第二当接面４３を有しており、第一当接面３３は、第一施療部３１に、第二当接面４３は、第二施療部４１に設置される。
【００１９】
また、本体部２の外部は、略直方体形状と略筒形状を組合わせた形状となっており、略直方体形状と略円筒形状の境界部は、錘台形状となっている。
また、本体部２の内部は中空になっており、後述するマッサージ手段７が設けられる。
持ち手部２１の先に施療部２２が形成されており、前記施療部２２は略直方体形状の部分に位置し、前記持ち手部２１は略筒形状の部分に位置する。
なお、説明する際には、施療部２２側を『上』，持ち手部２１側を『下』という方向の概念で説明を行う。
【００２０】
図２に示す様に、前記第一枠体３の前記第一施療部３１と第一保持部３２は一体形成されている。
図２ａに示す様に、前記第一枠体３の第一施療部３１には、後述する第一当接面３３を固定する固定部３８と、前記固定部３８の左右に側壁３４と、上端部に開口３５を有しており、前記第一保持部３２は、第一保持面３６と、前記第一保持面３６の左右に側壁３４を備えており、下端部に閉口端３７を有している。
前記固定部３８には、複数の孔が設けられており、後述する押さえ部材６の外側フレーム６４に設けられたネジ孔６８と合致するようになっている。
また、前記第一保持面３６には、スイッチ３０２（図１参照）を設けるための溝部３０３が設けられており、スイッチ３０２（図１参照）によっても、後述するマッサージ手段７のオン/オフ，及び出力を変更することが可能である。
また、前記第一保持部３２の閉口端３７には、電源用ジャック固定部３０４が設けられている。
また、側壁３４は、所定高さを有しており、所定高さをどの程度の高さとするかによって、後述するマッサージ手段７の強弱を変更することが可能となっている。
また、側壁３４の端部は、切欠かれており、後述する第二枠体４の側壁４４の端部に形成された切欠き部分と合致するように形成されている。
【００２１】
図２ｂに示す様に、前記第一枠体３の内側は凹状となっており、補強用のリブ３０５が複数形成されており、後述するマッサージ手段７のモータ７１を固定するモーターベース固定部３０６と、電源用ジャックの固定部３０４が設けられている。
また、第一枠体３の上端部には、突起部３０７が設けられており、後述する第三枠体５の第一枠体固定部５１と嵌合するようになっている。
また、家庭用電源を使用するのではなく、充電池により動作させることも可能であり、前記第一枠体３の内側は凹状部に、電池ケースと、充電用ジャックが設けられていてもよい。
このような構成とすることで、電源コードをつけた状態では、マッサージしにくい部分をマッサージすることが可能であり、充電式とすることで、外出先に持ち運ぶことが可能である。
【００２２】
図３に示す様に、前記第二枠体４の前記第二施療部４１と第二保持部４２は一体形成されている。
図３ａに示す様に、前記第二枠体４の第二施療部４１には、後述する第二当接面４３を固定する固定部４８と、前記固定部４８の左右に側壁４４と、上端部に開口４５を有しており、前記第二保持部４２は、第二保持面４６と、前記第二保持面４６の左右に側壁４４を備えており、下端部に閉口端４７を有している。
前記固定部４８には、複数の孔が設けられており、後述する押さえ部材６の外側フレーム６４に設けられたネジ孔６８と合致するようになっている。
また、前記第二保持面４６に、開口とその開口を塞ぐ蓋を設けてもよい。開口から、モータや、出力調整部にアクセスできるようになっており、修理や部品交換の際に使用可能となっている。また、充電池等を設ける場合は、充電池の交換のために開口と蓋が設けられる。
また、側壁４４は、所定高さを有しており、所定高さをどの程度の高さとするかによって、後述するマッサージ手段７の強弱に関わるものである。
また、側壁４４の端部は、切欠かれており、後述する第一枠体３の側壁３４の端部に形成された切欠き部分と合致するように形成されている。
【００２３】
図３ｂに示す様に、前記第二枠体４の内側は凹状となっており、補強用のリブ４０２が複数形成されており、後述するマッサージ手段７のモータ７１を固定するモーターベース固定部４０４と、上端部には、後述する前記第三枠体５と嵌合するための突起部４０３が設けられており、前記第三枠体５の第二枠体固定部５２と嵌合するようになっている。
【００２４】
図４に示す様に、前記第三枠体５は、一端を閉じた筒状となっており、他端には、第一枠体３の突起部３０７と第二枠体４の突起部４０３に対応する穴部が設けられており、前記穴部が第一枠体固定部５１と第二枠体固定部５２となっている。
また、第三枠体５は、前記マッサージ手段７の回転軸７３を保持する回転軸保持部５３を有している。
【００２５】
図５は、本発明の手持ち型マッサージ機１を示す図である。図５には、本体部２から第一枠体３を取除いた状態の前記手持ち型マッサージ機１が示されている。図５では、本体部２から第一枠体３が取除かれているが、第一枠体３がある場合、前記マッサージ手段７は、本体部２の内部に保持され、前記第一当接面３３と第二当接面４３との間に位置することとなる。
よって、前記マッサージ手段７は、前記第一当接面３３を介してマッサージを行うことが可能であり、前記第二当接面４３を介してマッサージを行うことが可能である。言い換えれば、前記マッサージ手段７は、前記第一当接面３３と第二当接面４３に対して、同時にマッサージ力を付与している。
また、前記第一当接面３３を介して前記マッサージ手段７により付与されるマッサージ力と、前記第二当接面４３を介して前記マッサージ手段７により付与されるマッサージ力が異なる様に構成することが好ましい。
また、前記第一当接面３３と第二当接面４３は所定距離を有して離間した状態で位置しており、前記第一当接面３３と第二当接面４３とは、対向した位置に設けられている。
【００２６】
また、前記マッサージ手段７は、駆動源（モータ）７１と、駆動源（モータ）７１を保持するモータベース７２と、回転軸７３と、施療子７４と、施療子支持部材７５と、施療子支持部材７５を固定する固定部材７６を有している。前記回転軸７３には、複数の施療子７４と、複数の施療子支持部材７５と、施療子支持部材７５を固定する固定部材７６が設けられている。
なお、図５では、施療子７４と施療子支持部材７５が複数記載されており、すべてに図番を振ると煩雑となるため、図５に記載した図番以外は省略する。
前記モーターベース７２は、チャネル状の鉄板であり、第一枠体３に当接する一片を、第一枠体３のモータベース固定部３０６に固定し、第二枠体４に当接する他片を、第二枠体４のモータベースの固定部４０４に固定し、前記一辺と他辺の間に設けられた中間片で、モータ７１を固定している。
前記中間片には、孔（図示せず）が設けられており、前記回転軸７３は、前記孔（図示せず）を通って、第三枠体５に設けられた回転軸保持部５３に保持される。前記回転軸７３の先端には、軸受７７が設けられており、該軸受７７を保持するのが、回転軸保持部５３となっている。
また、前記マッサージ手段７は、前記出力調整手段７８により、マッサージの強弱を変更することができ、スライド抵抗７９とスライド抵抗基板８０よりなり、スイッチ３０２のスライド動作により、マッサージ手段７の出力を変更している。
【００２７】
図６は、前記マッサージ手段７の施療子７４と、施療子支持部材７５と、固定部材７６が記載されている。
図６ａは、施療子７４の拡大図であり、前記施療子７４は、第一半球状部８１と第二半球状部８２で構成されている。前記第一半球状部８１と前記第二半球状部８２には、夫々溝状の保持部８３が設けられ、それぞれ凸部８４と、凹部８５が設けられている。
第前記第一半球形状部８１の凸部８４と凹部８５を第二半球状部８２の凹部８５と凸部８４に、組み合わせることで、球状の施療子７４となる。
【００２８】
また、図５に示される様に、前記施療子７４は、前記溝状の保持部８３に施療子支持部材７５を位置させ、第一半球形状部８１と第二半球状部８２を組み合わせることで、施療子支持部材７５に固定される。
また、図６ｂに示す様に、前記施療子支部材７５は、板状又はシート状の弾性部材であり、所定長さを有している。前記施療子支部材７５の両端部には、施療子固定部８７が設けられており、施療子固定部８７は、前記施療子７４の第一半球形状部８１と第二半球状部８２の凸部８５が通る孔であり、前記孔に第一半球形状部８１と第二半球状部８２の凸部８５を通して、第一半球形状部８１と第二半球状部８２を合致させて、その両端部に施療子７４を設けることが可能となっている。
施療子支持部材７５に施療子７４を設ける方法は、上記に示す方法を使用しなくとも、施療子７４にスリットを設け、そこに施療子支持部材７５を通し、端部をスリットから抜け出ないように肉厚にするなどの様々な方法が考えられ、施療子支持部材７５に施療子７４を設けられるものであれば、適用可能である。
【００２９】
また、図５に示される様に、施療子支持部材７５は、固定部材７６によって、前記回転軸７３に固定される。
図５，図６ｃに示す様に、固定部材７６は、回転軸７３に沿うように、弧を描く形状をしており、回転軸７３の長手方向に長く形成されている。固定部材７６の長手方向の一辺には、所定間隔を置いて切欠け部８６が複数形成されており、長手方向の他辺にも、所定間隔を置いて切欠け部８６が複数形成されており、一辺に設けられた切欠け部８６と他辺に設けられた切欠け部８６は、互い違いに形成されている。
前記施療子支持部材７５は、この切欠き部８６の部分に配置され、回転軸７３に固定されるので、回転軸７３の回転中に施療子支持部材７５は位置ずれを起こさず、施療子支持部材７５が一方向に寄ってしまうことを防いでいる。
また、固定部材７６は、回転軸７３の長手方向に沿って形成されているので、切欠け部８６をたくさん設ければ、施療子支持部材７５を多く付けることが可能であり、施療子支持部材７５ごとにネジ等で固定する方法に比べて、容易に施療子支持部材７５を回転軸７３に固定できる。
このような構成とすることで、前記回転軸７３の回動により、施療子７４が連れて回動し、被施療部に対してマッサージを行うことが可能となる。
【００３０】
図７には、本発明の手持ち型マッサージ機１の第一当接面３３又は第二当接面４３が示されており、前記第一当接面３３又は第二当接面４３の押さえ部材６と可撓性部材６１,６２が示されている。
前記第一当接面３３は、第一可撓性部材６１と押さえ部材６を有しており、押さえ部材６は、開口部６５を有しており、前記開口部６５を覆うように第一可撓性部材６１が配設されている。また、第二当接面４３も、第二可撓性部材６２と押さえ部材６を有しており、押さえ部材６は開口部６５を有しており、前記開口部６５を覆うように第二可撓性部材６２が配設されている。
図７に示す、前記押さえ部材６は、四角のフレームで形成されており、中央部に開口部６５を有している。詳説すると、押さえ部材６は、内側フレーム６３と、内側フレーム６３より大きい外側フレーム６４と、を有し、内側フレーム６３と外側フレーム６４を嵌合して形成される。また、図１〜３及び７で示す、押さえ部材６は、同じものである。
図７ａは、可撓性部材６１,６２と押さえ部材６を示す図である。図７ｂは、可撓性部材６１,６２と内側フレーム６３を、外側フレーム６４から取外した図である。図７ｃは、可撓性部材６１,６２と内側フレーム６３を示す図であり、内側フレーム６３を覆うように可撓性部材６１,６２が取付けられている。図７ｄは、可撓性部材６１,６２を取除いた内側フレーム６３を示す図である。
【００３１】
前記押さえ部材６は、可撓性部材６１，６２を取付ける内側フレーム６３と、前記内側フレーム６３より大きく、内側フレーム６３を内包するように嵌合することで、内側フレーム６３に取付けられた可撓性部材６１，６２を固定する外側フレーム６４とで構成されており、前記外側フレーム６４は、前記固定部３８，４８に嵌合するように形成されている。
このような構成とすることで、押さえ部材６の内側フレーム６３と外側フレーム６４は、開口部６５を覆う様に可撓性部材６１，６２を固定することが可能となっている。
また、外側フレーム６４は、ネジ孔６６を有しており、第一枠体３及び第二枠体４の固定部３８，４８にネジによって固定されるようになっている。
このような構成とすることで、第一当接面３３及び第二当接面４３が、前記第一枠体３及び第二枠体４の固定部３８，４８に固定されるようになっている。
ここでは、内側フレーム６３と外側フレーム６４を嵌合させることにより、可撓性部材６１，６２を固定する手法を説明したが、他の手法を用いて可撓性部材６１，６２を固定してもよく、第一当接面３３又は第二当接面４３として、使用できる様に可撓性部材６１，６２を固定するものであればよい。
【００３２】
図８は、本発明のマッサージ力の変更手法を示す図である。図８は、本体部２の持ち手部２１を除いた施療部２２の断面図であり、第一枠体３，第二枠体４，第三枠体５，マッサージ手段７，第一当接面３３，第二当接面４３が図示されている。また、前記第一可撓性部材６１及び第二可撓性部材６２が図示されており、前記第一可撓性部材６１と第二可撓性部材６２は、厚みが異なっている。
前記第一可撓性部材６１は、布と布の間にウレタンを介在させており、ウレタン６７によって、厚みが増し、弱い体感のマッサージを行うことが可能となっている。また、布は伸縮性ある布を使用している。
また、第二可撓性部材６２は、布１枚となっており、強い体感のマッサージを行うことが可能となっている。
このように、第一可撓性部材６１の厚みを、第二可撓性部材６２の厚みに比べて厚くすることで、第一当接面３３では、弱い体感のマッサージを行うことが可能であり、第二当接面４３では、強い体感のマッサージを行うことが可能である。
【００３３】
図９は、本発明のマッサージ力の変更手法の別実施形態を示す図である。本体部２の持ち手部２１を除いた施療部２２の断面図であり、第一枠体３，第二枠体４，第三枠体５，マッサージ手段７，第一当接面３３，第二当接面４３が図示されている。また、図９では、前記第一可撓性部材６１及び第二可撓性部材６２を図示しており、前記第一可撓性部材６１と第二可撓性部材６２の張り具合を異ならせている。強い体感のマッサージと弱い体感のマッサージは、布の張り具合を調整することによっても可能である。
例えば、第二可撓性部材６２を押さえ部材６で固定する際に、弛ませた状態で固定することで強い体感のマッサージが可能であり、第一可撓性部材６１を押さえ部材６で固定する際に、布をしっかりと張った状態としておけば、弱い体感のマッサージが可能である。
このように、可撓性部材６１，６２の張り具合を、異ならすことで、例えば第一当接面３３では、弱い体感のマッサージを行うことが可能であり、第二当接面４３では、強い体感のマッサージを行うことが可能である。
【００３４】
図１０は、本発明のマッサージ力の変更手法の別実施形態を示す図である。図１０は、本体部２の持ち手部２１を除いた施療部２２の図であり、第一枠体３，第二枠体４，第三枠体５，第一当接面３３，第二当接面４３が図示されている。また、施療部２２の一部を切欠きマッサージ手段７が見えるように図示している。また、図１０では、第一枠体３の側壁３４及び第二枠体４の側壁４４が図示されており、第一枠体３の側壁３４と第二枠体４の側壁４４の高さが異なっている。側壁３４，４４の高さを異ならせ、回転軸７３からの第一当接面３３及び第二当接面４３の位置を異ならせることによっても、強い体感のマッサージと弱い体感のマッサージを行うことが可能である。
この場合、第一当接面３３と第二当接面４３は前記マッサージ手段７が有する回転軸７３を挟んで対向しており、第一当接面３３は、第二当接面４３に比べて、マッサージ手段７の回転軸７３から遠い位置に設けられている。
図１０では、第一当接面３３を、前記第二当接面４３より回転軸７３から遠い位置にするために、第一当接面３３の側壁３４を高く設けている。また、第一当接面３３と対向する位置に設けられた第二当接面４３は、前記第一当接面３３より回転軸７３から近い位置に設けられている。このように第一枠体３の側壁３４を高く設けた場合は、弱い体感のマッサージが行うことが可能であり、第二枠体４の側壁４４を低く設けることで、強いマッサージを行うことが可能となる。
このように構成することで、第一当接面３３では弱いマッサージを行い、第二当接面４３では強いマッサージを行うことが同時に可能となっている。
また、マッサージ手段やマッサージ出力を変更せずとも、当接する面を変更することで、簡単にマッサージ力の強弱を変更できる。
また、第一当接面３３又は第二当接面４３のいずれかを、回転軸７３から遠い位置に配置した場合、側壁３４，４４が高く設けてあるので、枠体内に大きくスペースを設けることが可能となり、マッサージ手段７の駆動源７１や、スイッチ用のスライド抵抗基板８０等が設けやすくなっている。
【００３５】
また、図１１，１２に示すような、可撓性部材６１，６２の張力変更手段９もある。以下に示す実施例の図番については、上述の同じ部材を使用する場合は、同じ番号を付す。
図１１に示す張力変更手段９は、前記押さえ部材６に設けられている。図１１ａは、張力変更手段９を有する押さえ部材６が記載されている。図１１ｂは、押さえ部材６を構成する、第一フレーム９１と、第二フレーム９２と、張力変更手段９が記載されている。なお、第二フレーム９２については、張力変更手段９の構成がわかりやすいように、第二フレーム９２に設けられたカバー部９８を除いている。図１１ｃは、押さえ部６の断面図である。
図１１で示す張力変更手段９を有する押さえ部材６は、可撓性部材６１，６２の一端を固定する第一フレーム９１と、第一フレーム９１より大きく、可撓性部材６１，６２の他端を固定する軸部９３を有する第二フレーム９２を有しており、第一フレーム９１は、第二フレーム９２に内包されるように嵌合されている。
前記可撓性部材６１，６２は、固定部９９によって、軸部９３に固定されている。
前記軸部９３は、第二フレーム９２に回動可能に固定されており、軸部９３の端部には、軸部９３を回動させる回動部９４を有している。前記回動部９４は、ダイヤル式となっており、回す方向によって、可撓性部材６１，６２の張力を変更することが可能となっている。
【００３６】
また、図１２の張力変更手段９も前記押さえ部材６に設けられている。図１２ａは、張力変更手段９を有する押さえ部材６が記載されている。図１２ｂには、押さえ部材６を構成する、第一フレーム９１と、第二フレーム９２と、張力変更手段９が記載されている。なお、第二フレーム９２については、張力変更手段９の構成がわかりやすいように、第二フレーム９２に設けられたカバー部９８を除いている。図１２ｃは、押さえ部６の断面図である。
図１２で示す張力変更手段９を有する押さえ部材６は、可撓性部材６１，６２の一端を固定する第一フレーム９１と、第一フレーム９１より大きく、可撓性部材６１，６２の他端を固定する軸部９３を有する第二フレーム９２を有しており、前記第一フレーム９１は、第二フレーム９２に内包されるように嵌合されている。
前記第二フレーム９１には、溝部９５が形成されており、軸部９３は、溝部９５をスライド可能に固定されており、前記軸部９３には、軸部を９３スライドさせるスライドつまみ９６を有している。また、前記可撓性部材６１，６２は、固定部９９によって軸部９３に固定されている。
この様に軸部９３をスライドさせて移動させる方向によって、可撓性部材６１，６２の張力を変更することが可能となっている。
【００３７】
また、張力を変更する以外にも、マッサージ力を変更する方法がある。
図１３は、マッサージ手段７の位置を変更できる手持ち型マッサージ機１が示されている。なお、上記で説明した構成と同様の構成については、説明を省く。前記マッサージ手段７の回転軸７３は、モータ７１から延設されているものであり、モータベース７２と、第三枠体５に設けられた回転軸保持部５３によってスライド可能に保持されている。
図１３では、モータベース７２及び回転軸保持部５３にスライド用の溝部９７を設けられている。回転軸７３は、この溝部９７をスライドするので前記第一当接面３３及び第二当接面４３に近づけたり、遠ざけたりすることが可能となっている。
このように、マッサージ手段７の回転軸７３を移動させることで、マッサージの強弱を変更することも可能である。
【産業上の利用可能性】
【００３８】
本発明は、マッサージ手段やマッサージ出力を変更せずとも、簡単にマッサージ力の強弱を変更できるので、手持ち型マッサージ機に適用することができる。
【符号の説明】
【００３９】
１  手持ち型マッサージ機
２  本体部
３  第一枠体
４  第二枠体
５  第三枠体
６  押さえ部材
７  マッサージ手段
９  張力調整手段
３４，４４  側壁
６１  第一可撓性部材
６２  第二可撓性部材
７１  駆動源（モータ）
７２  モータベース
７３  回転軸
７４  施療子
７５  施療子支持部材
７６  固定部材
７７  軸受
７８  出力調整手段
【図１】
2014061190.tif 000003
【図２】
2014061190.tif 000004
【図３】
2014061190.tif 000005
【図４】
2014061190.tif 000006
【図５】
2014061190.tif 000007
【図６】
2014061190.tif 000008
【図７】
2014061190.tif 000009
【図８】
2014061190.tif 000010
【図９】
2014061190.tif 000011
【図１０】
2014061190.tif 000012
【図１１】
2014061190.tif 000013
【図１２】
2014061190.tif 000014
【図１３】
2014061190.tif 000015